(57)【要約】【課題】印刷物の中から必要とする印刷物を探し出す作業を、短時間で簡単に行える用紙排出装置を提供することにある。【解決手段】排出ローラユニットと、その下流側のトレイとからなる用紙排出装置において、前記排出ローラユニット２から排出される印刷物がトレイ３上でずれるようにトレイ面を可動とした。【選択図】　　　　図１
2004018211.tif 000002
【特許請求の範囲】
【請求項１】
排出ローラユニットと、その下流側のトレイとからなる用紙排出装置において、前記排出ローラユニットから排出される印刷物がトレイ上でずれるようにトレイ面を可動としたことを特徴とする用紙排出装置。
【請求項２】
前記トレイは無端ベルト状に構成されていることを特徴とする請求項１記載の用紙排出装置。
【請求項３】
前記印刷物はトレイ上で一枚ずつずれていくことを特徴とする請求項１記載の用紙排出装置。
【請求項４】
前記印刷物はトレイ上で一つのジョブが終了するたびにずれていくことを特徴とする請求項１記載の用紙排出装置。
【請求項５】
印刷面の反対面に印刷者の名前もしくは本人と解るしるしを印刷した印刷物を、反対面を表にした状態でずらして前記トレイ上にすることを特徴とする請求項１記載の用紙排出装置。
【請求項６】
排出ローラユニットと、その下流側のトレイとからなる用紙排出装置において、印刷物を一枚ずつカールさせて丸めて前記トレイ上に排出するカール付与ユニットを設けたことを特徴とする用紙排出装置。
【請求項７】
印刷面の反対面に印刷者の名前もしくは本人と解るしるしを印刷した印刷物を、印刷面を内側にして丸めて前記トレイに排出したことを特徴とする請求項６記載の用紙排出装置。
【発明の詳細な説明】
【０００１】
【発明の属する技術分野】
本発明は、複写機、ファクシミリ等の印刷機に使用する用紙排出装置に関するものである。
【０００２】
【従来の技術】
図７は印刷機からの印刷物の通常の排出を説明する概略図である。印刷機１から排出された印刷物はトレイ３の上に次々と重ねられていく構造となっている。図８は印刷機からの印刷物が印刷毎に分けられる排出を説明する概略図である。この場合に、印刷物は設置されたソート等のトレイ３上に排出される。しかしこの方法では、複雑かつ大型で多大の設置面積を要する。
【０００３】
印刷用紙の排紙受けに関しては、実開平６−２７７９９号公報に、用紙の角度を変えて紙を排出することができるジョガー機構を備え、ジョブ毎に排出用紙を分離できるような構造が開示されている。この構造の問題点として、一度に見ることができるのは２つのジョブであり、必要印刷物を探し出すのには、やはり手間がかかる欠点が残る。
【０００４】
情報としてのみ述べれば、関連する技術としては、実開平６−５９３５１号公報に開示される「印刷用紙の排紙受け」、特開平５−１６９７４５号公報に開示される「ページプリンタ」等が存在している。
【０００５】
【発明が解決しようとする課題】
印刷機器から用紙を排出するとき、通常はトレイ上に次々と新しい印刷物が重ねられていってしまうので、印刷物の中から必要とする印刷物を探し出すのに、一枚一枚確認していく必要があり、手間がかかる。
【０００６】
また、一度に複数枚印刷をするときでも、一枚一枚ずれてしまい、探し出す過程が余計に増えてしまうことにもなってしまい、必要な印刷物を探し出すのに手間がかかることもある。必要とする印刷物を探し出してそれを抜いた後のトレイ上の印刷物は整列が歪んでしまう傾向がある。
【０００７】
さらに、複数の人が一つの印刷機器から出力する環境では、他の人の印刷内容が視界に入ってしまい、他の人に印刷内容を見せたくない場合には不都合を生じている。
【０００８】
そこで、本発明の第１の目的は、印刷物の中から必要とする印刷物を探し出す作業を、短時間で簡単に行える用紙排出装置を提供することにある。
【０００９】
本発明の第２の目的は、一枚一枚ずれた印刷物から必要な印刷物を探し出す作業を、複数印刷でも一枚印刷でも同じように、短時間で簡単に行える用紙排出装置を提供することにある。
【００１０】
本発明の第３の目的は、必要な印刷物を抜いた後のトレイ上の印刷物の整列の歪みを解消し、この現象を一枚ずつの環境で、カールさせて丸めることにより、同じように必要な印刷物を短時間で簡単に探し出すことができる用紙排出装置を提供することにある。
【００１１】
本発明の第４の目的は、複数の人が一つの印刷機器から出力する環境において、他の人に印刷内容を見せにくくして、なおかつ短時間で簡単に必要な印刷物を探し出すことができる用紙排出装置を提供することにある。
【００１２】
【課題を解決するための手段】
上記目的を達成するために、請求項１記載の発明は、排出ローラユニットと、その下流側のトレイとからなる用紙排出装置において、前記排出ローラユニットから排出される印刷物がトレイ上でずれるようにトレイ面を可動とした用紙排出装置を最も主要な特徴とする。
【００１３】
請求項２記載の発明は、前記トレイは無端ベルト状に構成されている請求項１記載の用紙排出装置を主要な特徴とする。
【００１４】
請求項３記載の発明は、前記印刷物はトレイ上で一枚ずつずれていく請求項１記載の用紙排出装置を主要な特徴とする。
【００１５】
請求項４記載の発明は、前記印刷物はトレイ上で一つのジョブが終了するたびにずれていく請求項１記載の用紙排出装置を主要な特徴とする。
【００１６】
請求項５記載の発明は、印刷面の反対面に印刷者の名前もしくは本人と解るしるしを印刷した印刷物を、反対面を表にした状態でずらして前記トレイ上にする請求項１記載の用紙排出装置を主要な特徴とする。
【００１７】
請求項６記載の発明は、排出ローラユニットと、その下流側のトレイとからなる用紙排出装置において、印刷物を一枚ずつカールさせて丸めて前記トレイ上に排出するカール付与ユニットを設けた用紙排出装置を最も主要な特徴とする。
【００１８】
請求項７記載の発明は、印刷面の反対面に印刷者の名前もしくは本人と解るしるしを印刷した印刷物を、印刷面を内側にして丸めて前記トレイに排出した請求項６記載の用紙排出装置を主要な特徴とする。
【００１９】
【発明の実施の形態】
以下、図面により本発明の実施の形態を詳細に説明する。図１は本発明による用紙排出装置の第１の実施の形態を示す概略図である。この第１の実施の形態において、印刷物は印刷機１の排出ローラユニット２からトレイ３の上に次々と重ねられていく。この場合に、印刷物を貯めていくトレイ３を動かすことにより、印刷物がずれた状態で重なっていく。
【００２０】
上記トレイ３は、図においては、無端ベルト状に構成され、この表面に排出ローラユニット２から排出された印刷物が順次重ねられる。この実施の形態では無端ベルトは、所望の情報を得るように印刷物を僅かにずらして重ねるように動くことができる。印刷面は表向き、すなわち、上向きで重ねられる。
【００２１】
重なった状態でも一部分を見ることができれば、必要な印刷物を選び出すことができる。これにより簡単な機構で、さほど大きくない装置として、印刷物の中から必要とする印刷物を探し出す必要がなく、この作業を短時間で簡単に行うことができる。
【００２２】
図２は本発明による用紙排出装置の第１の実施の形態の第１の変形例を示す概略図である。この第１の変形例において、印刷物は印刷機１の排出ローラユニット２からトレイ３の上に次々と重ねられていく。この場合に、排出ローラユニット２の図示してない制御機構が、一つのジョブの完了を示す信号を、トレイ３を含むトレイ機構に伝達し、一つのジョブの完了ごとにこのトレイ３を移動するように構成される。
【００２３】
複数枚の印刷を行う場合は、この第１の変形例の用紙排出装置では効率がよくない。例えば、一度に１００枚の印刷をするようなジョブがあったときは、それだけで非常に広大なトレイが必要となり、作業効率も非常に悪くなる。そこで、印刷機１（プリンタ、複写機、ファクシミリ等）内の図示しないデータ出力部から印刷エンジン部にデータをわたす構造において、一つのジョブが完了するたびに、トレイ３が動くように信号で制御する。
【００２４】
図３は本発明による用紙排出装置の第１の実施の形態の第２の変形例を示す概略図である。この第２の変形例は両面印刷の場合である。印刷物本体（必要情報）が裏面（内側）に印刷され、表面（外側）には印刷者の名前（しるし）が印刷されている。この場合に、例えば、図２の第１の変形例におけるように、排出ローラユニット２の図示してない制御機構が一つのジョブの完了を示す信号を、トレイ３を含むトレイ機構に伝達するように構成される。
【００２５】
図４は本発明による用紙排出装置の第２の実施の形態を示す概略図である。この第２の実施の形態においては、印刷機１の排出ローラユニット２と、この排出ローラユニット２の下流側のトレイ３との間にカール付与ユニット５が設けられる。排出ローラユニット２から排出される印刷物は、一つのジョブに対して一枚の出力の時、一枚一枚をカールさせ丸めて排出される。
【００２６】
この時、印刷面は外側となるようにする。排出後のトレイ３は、傾斜をつけて、端に貯まっていくようにする。この傾斜と丸まった印刷物により、必要な印刷物を抜いた後、印刷物はトレイ３上で整列している。
【００２７】
図５は本発明による用紙排出装置の第２の実施の形態の第１の変形例を示す概略図である。この第１の変形例は印刷用紙がロール紙の場合を示している。この場合に、印刷物をカールさせる方向はロール紙のカール方向に合わせられる。排出後のトレイ３は、図４の第２の実施の形態におけるように、傾斜をつけて、端に貯まっていくようにする（この傾斜と丸まった印刷物により、必要な印刷物を抜いた後、トレイ３上で印刷物は整列している）。
【００２８】
図６は本発明による用紙排出装置の第２の実施の形態の第２の変形例を示す概略図である。この変形例は両面印刷の場合である。印刷物本体が裏面（内側）に印刷され、表面（外側）には印刷者の名前（しるし）が印刷されている。
【００２９】
この第２の変形例においては、印刷機１の排出ローラユニット２から排出される印刷物が、一つのジョブに対して一枚の出力の時、一枚一枚をカールさせ丸めて排出される。この場合に、印刷物は、他の人の視界に入りにくくするために、印刷物本体が裏面（内側）に印刷され、この面が裏向き（内側向き）にずれながら並んでいき（丸まった状態で一つ一つ並んでいき）、印刷者の名前（しるし）を印刷した表面（外側）が表向き（外側向き）になるので、印刷者の名前（しるし）が見える状態となる。
【００３０】
【発明の効果】
以上説明したように、請求項１によれば、印刷物はトレイ上にずれながら並んでいき、印刷物の一部が見える状態となるので、必要としている印刷物かどうかが判断できるので、印刷物の貯まったトレイから必要とする印刷物を短時間で簡単に探して抜き出すことができる。
【００３１】
請求項２によれば、印刷物はトレイ上にジョブ毎にずれながら並んでいき、印刷物の一枚目の一部が見える状態となるので、印刷内容の一部分を確認することで、必要としている印刷物かどうかが判断できる。
【００３２】
請求項３および請求項４によれば、一枚印刷でも複数印刷でも、ファイルごとに区別ができ、印刷内容の一部分を確認することで、必要としている印刷物かどうかが判断でき、印刷物の貯まったトレイから必要とする印刷物を短時間で簡単に探して抜き出すことができる。
【００３３】
請求項５によれば、印刷物はトレイ上に裏向き（内側向き）にずれながら並んでいき（丸まった状態で一つずつ並んでいき）、表向き（外側向き）には印刷者の名前（しるし）が印刷されている。したがって、印刷者の名前（しるし）が見える状態となるので、印刷者を確認でき、必要としている印刷物かどうかが判断できる。これにより印刷物の貯まったトレイから必要とする印刷物を短時間で簡単に探し出し、しかも印刷内容が不用意に他人の視界に入るのを防ぐことができる。
【００３４】
請求項６によれば、印刷物はトレイ上にカールして丸まった状態で一つ一つ並んでいき、印刷物の一部が見える状態となるので、簡単に必要な印刷物を確認して探し出し、それを抜き出すことが可能となる。また、印刷物が重なり合うことがないので、必要な印刷物を抜いた後のトレイ上の印刷物も整列は歪みにくくなる。
【００３５】
請求項７によれば、印刷物はトレイ上に裏向き（内側向き）にずれながら並んでいき（丸まった状態で一つずつ並んでいき）、表向き（外側向き）には印刷者の名前（しるし）が印刷されているので、印刷者の名前（しるし）が見える状態となる。したがって、印刷者を確認でき、必要としている印刷物かどうかが判断できるので、印刷物の貯まったトレイから必要とする印刷物を短時間で簡単に探し出し、しかも印刷内容が不用意に他人の視界に入るのを防ぐことができる。
【図面の簡単な説明】
【図１】本発明による用紙排出装置の第１の実施の形態を示す概略図である。
【図２】本発明による用紙排出装置の第１の実施の形態の第１の変形例を示す概略図である。
【図３】本発明による用紙排出装置の第１の実施の形態の第２の変形例を示す概略図である。
【図４】本発明による用紙排出装置の第２の実施の形態の変形例を示す概略図である。
【図５】本発明による用紙排出装置の第２の実施の形態の第１の変形例を示す概略図である。
【図６】本発明による用紙排出装置の第２の実施の形態の第２の変形例を示す概略図である。
【図７】印刷機からの印刷物の従来の排出を説明する概略図である。
【図８】印刷機からの印刷物が印刷毎に分けられる従来の排出を説明する概略図である。
【符号の説明】
１　印刷機
２　排出ローラユニット
３　トレイ
４　ロール紙
５　カール付与ユニット
【図１】
2004018211.tif 000003
【図２】
2004018211.tif 000004
【図３】
2004018211.tif 000005
【図４】
2004018211.tif 000006
【図５】
2004018211.tif 000007
【図６】
2004018211.tif 000008
【図７】
2004018211.tif 000009
【図８】
2004018211.tif 000010